(57)【要約】【課題】格納及び引き出し時の操作性を向上させ、それぞれのロック位置での保持性を確実にする。【解決手段】レンズ鏡筒１０に組み込まれたレンズフード２０をフード本体２１とそれに摺動可能なフード操作リング２２とから構成し、フード操作リング２２を左方へ移動させると、フード本体２１に径方向へ変位可能に装着されたロックボール２５がフード操作リング２２の内周面２２ａによる拘束から解除されてロック解除溝２２ｃに収納され、フード本体２１のロックが解除されて一体となって左行し、左行端でロックボール２５が第１のロック溝１４に係合した後、フード操作リング２２はさらに左行してロックボール２５をロック状態に拘束する。【選択図】        図１
2004170492.tif 000002
【特許請求の範囲】
【請求項１】
レンズ鏡筒の前部外周面に光軸方向に摺動自在に装着され、それぞれの摺動端においてロック可能なレンズフードであって、
フード本体と、該フード本体に所定範囲光軸方向に摺動可能に装着されたフード操作部材とからなり、該フード操作部材を移動させることにより、上記フード本体を上記レンズ鏡筒にロック又は釈放し得るようにしたことを特徴とするレンズフード。
【請求項２】
レンズ鏡筒の前部外周面に光軸方向に摺動自在に装着され、それぞれの摺動端においてロック可能なレンズフードであって、
上記レンズ鏡筒の前部外周面に光軸方向に摺動可能に装着され、上記レンズ鏡筒に形成したロック溝に係合し得るロック部材を有するフード本体と、該フード本体の後部外周面に所定範囲光軸方向に摺動可能に装着され、その内周面が上記ロック部材を上記ロック溝に拘束可能であり、上記内周面に設けたロック解除溝が上記ロック部材を上記ロック溝から釈放可能であるフード操作部材とからなることを特徴とするレンズフード。
【請求項３】
上記レンズ鏡筒と上記フード本体との間に摺動抵抗を与える摩擦部材を介装したことを特徴とする請求項１又は２記載のレンズフード。
【請求項４】
上記レンズ鏡筒と上記フード本体との間に、両者の当接時の衝撃を緩和する緩衝部材を介装したことを特徴とする請求項１乃至３のいずれか一項に記載のレンズフード。
【請求項５】
上記フード本体と上記フード操作部材との間に、上記光軸方向の相対移動を規制するクリック手段を設けたことを特徴とする請求項１乃至４のいずれか一項に記載のレンズフード。
【請求項６】
上記ロック部材は球状であることを特徴とする請求項２記載のレンズフード。
【請求項７】
上記ロック溝は断面台形状であることを特徴とする請求項２又は６記載のレンズフード。
【請求項８】
上記ロック解除溝は断面台形状であることを特徴とする請求項２，６，７のいずれか一項に記載のレンズフード。
【発明の詳細な説明】
【０００１】
【発明の属する技術分野】
この発明は、カメラレンズの画角外からの有害光線を遮断するためにレンズ鏡筒の先端部に装着されるレンズフードに関し、特にレンズ鏡筒に予め着脱不能に組み込まれたレンズフードに関する。
【０００２】
【従来の技術】
この種の組み込み式のレンズフードは、通常用いられている着脱式のレンズフードに有り勝ちな紛失や携帯忘れ等のおそれがなく、嵩ばらず着脱の手間も不要であるため、画角変動のない単焦点レンズ特に大径の単焦点望遠レンズに多く採用されている。
このような従来の組み込み式のレンズフードでは、一般にレンズ鏡筒との間に摺動抵抗を作用させる摩擦部材を介装し、その摩擦力に抗して光軸方向に引き出し又は押し込むことにより、撮影時の遮光位置又は不使用時の格納位置としてそれぞれの位置に保持するようになっている。
ところがこのような構成によれば、レンズ鏡筒とレンズフードとの間の摩擦力が弱すぎると携行時に衝撃や自重等により不用意にレンズフードがレンズ鏡筒から突出し、他物に接触して損傷したり、撮影継続中に押し込まれたりしてフード効果が低減するおそれがあり、摩擦力が強すぎると操作性が損なわれるという問題点があった。
【０００３】
このような問題点を解決するため、レンズフード側の前部内周面及び後部内周面にそれぞれ３個ずつの断面半円形状の係止突起を一体に形成し、これらの係止突起がレンズ鏡筒の先端側外周面に突設された係止環に係合することにより格納位置又は使用位置に強固に保持可能なレンズフードが開示されている（例えば、特許文献１参照。）。
【０００４】
【特許文献１】
特開２００１−２２１９３９号公報
【０００５】
【発明が解決しようとする課題】
しかしながら、このような従来のレンズフードにあっては、繰り返しレンズフードをレンズ鏡筒に摺動させると内周面に形成した係止突起が摩耗して係止力が弱くなり、レンズフードを持ってレンズ鏡筒を持ち上げようとすると、レンズ鏡筒の自重あるいは持ち上げ時の衝撃等によりレンズフードがレンズ鏡筒との係止力に抗して引き出されてしまうおそれがあった。
また、レンズフード内周面先端に形成した係止突起がレンズ鏡筒の外周面先端に突設した係止環に摺接して表面にきわめて反射率の高い光輝部が発生し、この光輝部に太陽や人工光源等の強い光線が反射すると、レンズフード内面やレンズ鏡筒内面で乱反射してゴーストやフレアを発生させる原因となり、外観上の美感も損われる。
この発明は上記の点に鑑みてなされたものであり、格納及び引き出し時の操作性を向上させ、それぞれの係止位置での保持性を確実にすると共に、経時における耐久性を大幅に増大し得るレンズフードを提供することを目的とする。
【０００６】
【課題を解決するための手段】
この発明は上記の目的を達成するため、レンズ鏡筒の前部外周面に光軸方向に摺動自在に装着され、それぞれの摺動端においてロック可能なレンズフードであって、フード本体と、このフード本体に所定範囲光軸方向に摺動可能に装着されたフード操作部材とからなり、このフード操作部材を移動させることにより、上記フード本体を上記レンズ鏡筒にロック又は釈放し得るようにしたレンズフードを提供するものである。
また、レンズ鏡筒の前部外周面に光軸方向に摺動自在に装着され、それぞれの摺動端においてロック可能なレンズフードであって、上記レンズ鏡筒の前部外周面に光軸方向に摺動可能に装着され、上記レンズ鏡筒に形成したロック溝に係合し得るロック部材を有するフード本体と、このフード本体の後部外周面に所定範囲光軸方向に摺動可能に装着され、その内周面が上記ロック部材を上記ロック溝に拘束可能であり、上記内周面に設けたロック解除溝が上記ロック部材を上記ロック溝から釈放可能であるフード操作部材とからなるレンズフードも提供する。
【０００７】
そして、上記のレンズフードにおいて、上記レンズ鏡筒と上記フード本体との間に摺動抵抗を与える摩擦部材や当接時の衝撃を緩和する緩衝部材を介装するとさらによい。また、このようなレンズフードにおいて、上記フード本体と上記フード操作部材との間に、上記光軸方向の相対移動を規制するクリック手段を設けるのが好ましい。さらに、このような構成からなるレンズフードにおいて、上記ロック部材は球状であり、上記ロック溝や上記ロック解除溝は断面台形状であるようにするとさらによい。
この発明によるレンズフードは上記のように構成することにより、レンズフード格納状態及び引き出し状態ではレンズ鏡筒に確実にロックされて不用意にロックが解除されるおそれがなく、フード操作部材を光軸方向に僅かに駆動することによりワンタッチでそのロックを解除することができ、操作性もきわめて良好である。
【０００８】
【発明の実施の形態】
以下、この発明の実施形態を図面に基づいて具体的に説明する。
図１はこの発明の一実施形態をレンズ鏡筒と共に示すレンズフード格納状態の断面図、図２はそのレンズフード引き出し状態の断面図である。これらの図１及び図２においては図面枚数を節減すると共に関連部材の位置関係を分かりやすくするために、必ずしも同一平面上にない部分も同一断面として示してある。また、レンズ鏡筒の内部構成はこの発明の要旨と直接関係がないので図示は省略する。
光軸Ａを有するレンズ鏡筒１０は、先端部（図１で左端部）全周に突条からなる第１の係止部１１を一体的に設け、後端部（図１で右端部）には、図示しないカメラ本体のマウント部に着脱可能なレンズマウント１８を一体的に設けてある。また、レンズ鏡筒１０の外周部には前半部が僅かに小径となる段差部からなる第２の係止部１２を設け、鏡筒小径部１３の外周面に、断面台形状の第１のロック溝１４及び第２のロック溝１５をそれぞれ凹設する。
【０００９】
一方、このレンズ鏡筒１０の鏡筒小径部１３の外周部には、レンズフード２０の遮光部を形成するほぼ円筒状のフード本体２１を光軸Ａ方向へ摺動自在に装着し、フード本体２１の後部外周面には、フード本体２１をレンズ鏡筒１０の外周面にロック並びに釈放可能なフード操作部材であるフード操作リング２２を光軸Ａ方向に所定範囲摺動可能に装着する。
フード本体２１は、図３にその細部を拡大して示すように、後部に内外周面の径が僅かに小径のフード小径部２１ａを形成し、その内周面に摩擦抵抗の大きい樹脂材等からなる摩擦部材としての摩擦リング２３を鏡筒小径部１３に摺動自在に装着する。このフード小径部２１ａの内周側の前後両端部には、緩衝部材として樹脂材等からなる緩衝リング２４，２４を固設し、フード本体２１が進退したときにレンズ鏡筒１０の第１，第２の係止部１１，１２に当接したときの衝撃に伴う損傷や衝撃音を減少させるようにしている。
【００１０】
また、フード小径部２１ａには、フード本体２１の前進端及び後退端においてレンズ鏡筒１０の第１，第２のロック溝１４，１５に対向する位置に透孔２１ｂを穿設してフード本体２１のロック部材を構成するロックボール２５を転動自在で径方向に変位自在に挿入し、このロックボール２５が第１，第２のロック溝１４，１５に係合した状態では、その頂部がフード小径部２１ａの外周面とほぼ同一面になるようにする。なお、透孔２１ｂ及びロックボール２５はそれぞれ１個設けてもよいが、同一円周上のほぼ等間隔の位置に複数個（例えば３個）設けるのが好ましい。
さらに、フード小径部２１ａの外周面後半部に３条の円周溝からなるクリック溝２１ｃ，２１ｄ，２１ｅをほぼ等間隔に形成すると共に、上記透孔２１ｂを含む断面とは異なる断面上に、後述するフード操作リング２２を光軸Ａ方向に案内するガイド軸２６（図１参照）を植設する。
【００１１】
一方、フード小径部２１ａの外周面に摺動自在に装着するフード操作部材であるフード操作リング２２は、図１及び図２に示すように、フード本体２１のフード小径部２１ａの外周面に摺接する内周面２２ａと、フード本体２１側のガイド軸２６が緩嵌して光軸Ａ方向の移動量を規制する長孔２２ｂと、ロックボール２５がレンズ鏡筒１０の第１，第２のロック溝１４，１５から離脱してフード小径部２１ａに摺接した状態（図７参照）でロックボール２５を収納可能な断面台形状のロック解除溝２２ｃとを有している。
また、フード操作リング２２は、図４及び図６に図３及び図５とそれぞれ異なる断面を示すように、その後退位置及び前進位置でフード本体２１のクリック溝２１ｅ及び２１ｃに対向する段付透孔２２ｄを形成し、その小径部側にクリックボール２７を転動並びに変位自在に挿入して、大径部側に装着した板ばねからなるクリックばね２８により内径方向へ押圧する。このクリックボール２７はフード操作リング２２の光軸方向の移動に対応して中間のクリック溝２１ｄに係合する。なお、フード操作リング２２の外周部には、ゴム又は樹脂からなる滑り止めリング２２ｅを取着して操作性の向上を図っている。
【００１２】
次に、上記のように構成した実施形態の作用を説明する。図１，図３及び図４に示すレンズフード２０の格納状態では、フード本体２１の後端に設けられた緩衝リング２４がレンズ鏡筒１０の第２の係止部１２に当接してその後退が係止されている。また、フード本体２１に設けられたロックボール２５はレンズ鏡筒１０の第２のロック溝１５に係合し、その外側をフード操作リング２２の内周面２２ａに封止され、フード本体２１はレンズ鏡筒に摺動不能にロックされている。この状態では、図１に示すように、フード本体２１側のガイド軸２６がフード操作リング２２の長孔２２ｂの先端側に当接してフード本体２１の最後部に位置し、フード操作リング２２側のクリックボール２７は後部のクリック溝２１ｅに係合している。
【００１３】
この状態からフード操作リング２２をクリックばね２８の付勢力に抗して前方（図で左方）へ移動させると、クリックボール２７がフード本体２１の中央のクリック溝２１ｄに係合すると共に、ロックボール２５はフード操作リング２２のロック解除溝２２ｃに対向する状態となる。フード操作リング２２をさらに前進させると、クリック力により一体となったフード本体２１が一体となって前進し、フード本体２１の透孔２１ｂの側壁面がロックボール２５を左方に押圧する。これによりロックボール２５は断面台形状の第２のロック溝１５のテーパ面により外方へ押圧されてフード操作リング２２のロック解除溝２２ｃ内に収納され、フード本体２１のロックが解除されて光軸Ａ方向へ自由に摺動可能となる（図７参照）。フード本体２１の前端側の緩衝リング２４がレンズ鏡筒１０の第１の係止部１１に当接してフード本体２１の前進が係止される。
【００１４】
この状態では、フード本体２１側のロックボール２５がレンズ鏡筒１０の第１のロック溝１４に対向した位置となる。フード本体２１の前進が係止された後もフード操作リング２２はフード本体２１とのクリック力に抗してさらに前進し、その長孔２２ｂ（図２参照）の右端部がフード本体２１側のガイド軸２６に当接し、且つクリックボール２７がフード本体２１側のクリック溝２１ｃに係合するに及んでその前進が係止されて図５及び図６に示す状態となる。この最後の過程でフード操作リング２２の左行時に、断面台形状のロック解除溝２２ｃのテーパ部がロックボール２５を内方に押圧して第１のロック溝１４に係合させた後、フード操作リング２２の内周面２２ａがロックボール２５の外側への移動を拘束してフード本体２１をフード使用位置にロックする。また、この状態からレンズフード２０を格納する場合は、フード操作リング２２を光軸Ａ方向に沿って後退させればよい。
【００１５】
上記の実施形態においてはフード本体をレンズ鏡筒の光軸を中心として自由に回転しても差し支えない円筒状のレンズフードの場合について説明したが、図９は、遮光効率をさらに高めた花形フード等で使用時の角度位置を規制したい場合の他の実施形態の一部を断面で示す側面図、図１０は図９のＸ−Ｘ線に沿う横断面図である。
この実施形態では、レンズ鏡筒１０の先端側外周面でカメラ本体（図示しない）に装着したときに上下（又は左右）となる位置に一対のガイド軸１６，１６を植設すると共に、先端部が花弁状に形成したフード本体３１のガイド軸１６，１６と相対向する内面側に光軸Ａに平行なガイド溝３１ａ，３１ａを設け、フード操作リング３２をフード本体３１の円筒状後端部に光軸Ａ方向に所定範囲摺動可能に設けたレンズフード３０であり、その他の構成及び作用は前実施形態と同様である。この実施形態によれば簡単な構成できわめて遮蔽効率の高い花形レンズフードをレンズ鏡筒に組み込むことができる。なお、図９ではガイド軸１６及びガイド溝３１ａは一方のみを示している。
【００１６】
このように、この発明によるレンズフードは、引き出し状態の使用時と格納状態の不使用時におけるレンズ鏡筒へのロックが確実であるため、レンズフード格納時にフード本体を持ってレンズ鏡筒やレンズ鏡筒が装着されたカメラを持ち上げても、レンズ鏡筒やレンズ鏡筒付きのカメラの自重によりロックが解除されるおそれはなく、レンズフード使用時に不用意に他物に接触してもフード本体が引き込まれて遮光効果が低減するおそれもなくなる。また、格納状態又は引き出し状態から使用状態又は不使用状態にするには、フード操作部材を同方向へ移動させるだけの一挙動でよく、その際適度のクリック間が伴うため、ロック及びロック解除が指先に伝わる感触で分かり操作感が良好であると共に、不用意にロックが解除されることもなくなる。さらに、レンズフードのロックに摩擦部材を用いていないため、長期に亘る使用に耐えると共にフード内面に摩耗による光輝部が発生することもなく、有害な内面反射の生じるおそれもない。
なお、上記の実施形態では、フード本体をレンズ鏡筒にロックするロック手段として、ロックボールをフード本体側に、ロック溝をレンズ鏡筒側に設けたが、これを逆にすることも可能であり、フード操作部材はリング状でなく摺動スイッチ状としてもよく、フード本体とフード操作部材との間に設けたクリック手段は、そのクリックボールとクリック溝をどちらに設けても差し支えない。
【００１７】
【発明の効果】
以上述べたように、この発明によれば以下のような効果を奏する。
請求項１記載のレンズフードによれば、レンズフードをフード本体とフード操作部材とから構成し、フード操作部材を前後に移動させることによりワンタッチで容易にロックを解除することができるため、操作性はきわめて良好である。
請求項２記載のレンズフードによれば、フード本体側のロック部材をフード操作部材の光軸方向の移動によりレンズ鏡筒側のロック溝に拘束可能な状態からフード操作部材のロック解除溝に収納可能な釈放状態に切り換えることができ、フード本体のレンズ鏡筒へのロック及びロック解除を確実に行うことができる。また、レンズフード格納時にフード本体を持ってレンズ鏡筒あるいはレンズ鏡筒が装着されたカメラを持ち上げても、自重によりフード本体のロックが解除されるおそれはなく、レンズフード引き出し時において不用意にフード本体に触れても押し込まれるおそれもない。さらに、レンズフードをレンズ鏡筒にロックする部材に摺動部材を用いていないので、長期に亘る使用に際しても摩耗によるロック力の低下がなく耐久性を大幅に向上させることができると同時に摩耗に起因する内面反射のおそれもなくなる。
【００１８】
請求項３記載のレンズフードによれば、レンズ鏡筒とフード本体との間に摩擦部材を介装したので、フード本体のロックを解除した状態でレンズ鏡筒を上下に向けたり、強力に操作したりした場合でも、レンズフードが急激に移動するおそれはない。
請求項４記載のレンズフードによれば、レンズ鏡筒とフード本体との間に緩衝材を介装したので、万一フード本体とレンズ鏡筒とが急激に当接するようなことがあっても、大きな損傷や衝撃音が発生するおそれはない。
請求項５記載のレンズフードによれば、フード本体とフード操作部材との間にクリック手段を設けたので、フード本体がロック状態にあるときに、誤ってフード操作部材に触れた場合でも不用意にロックが解除されることはなく、フード本体の格納又は引き出し時にはロックとロック解除状態が感触で分かるため操作感がさらに良好となる。
【００１９】
請求項６記載のレンズフードによれば、ロック部材を球状にしたため、ロック部材がロック溝からロック解除溝に移行する際に転動による円滑な移行が可能になる。
請求項７記載のレンズフードによれば、ロック溝を断面台形状としたので、フード本体の光軸方向の移動によりロック溝の側面テーパ部によりロック部材を押し上げる分力が発生し、ロック溝から容易に離脱することができる。
請求項８記載のレンズフードによれば、ロック解除溝を断面台形状としたので、フード操作部材の光軸方向の移動端でロック解除溝の側面テーパ部によりロック部材をロック溝へ押し込む分力が発生し、容易にロック部材をロック溝に係合させることができる。
【図面の簡単な説明】
【図１】この発明の一実施形態をレンズ鏡筒と共に示すレンズフード格納状態の断面図である。
【図２】同じくそのレンズフード引き出し状態の断面図である。
【図３】同じくその要部を拡大して示すレンズフード格納状態の断面図である。
【図４】同じくその要部を拡大して示すレンズフード格納状態を示す図３と異なる角度位置の断面図である。
【図５】同じくその要部を拡大して示すレンズフード引き出し状態の断面図である。
【図６】同じくその要部を拡大して示すレンズフード引き出し状態の図５と異なる角度位置の断面図である。
【図７】同じくその要部を拡大して示すレンズフード移動時の状態を示す断面図である。
【図８】同じくその要部を拡大して示すレンズフード移動時の状態を示す図７と異なる角度位置の断面図である。
【図９】この発明の他の実施形態をレンズ鏡筒と共に示すレンズフード格納状態の一部を断面で示す側面図である。
【図１０】同じく図９のＸ−Ｘ線に沿う断面図である。
【符号の説明】
１０：レンズ鏡筒          １１：第１の係止部
１２：第２の係止部        １４：第１のロック溝
１５：第２のロック溝      １８：レンズマウント
２０，３０：レンズフード  ２１，３１：フード本体
２２，３２：フード操作リング    ２２ａ：内周面
２３：摩擦リング          ２４：緩衝リング
２５：ロックボール        ２６：ガイド軸
２７：クリックボール      ２８：クリックばね
【図１】
2004170492.tif 000003
【図２】
2004170492.tif 000004
【図３】
2004170492.tif 000005
【図４】
2004170492.tif 000006
【図５】
2004170492.tif 000007
【図６】
2004170492.tif 000008
【図７】
2004170492.tif 000009
【図８】
2004170492.tif 000010
【図９】
2004170492.tif 000011
【図１０】
2004170492.tif 000012